(57)【要約】【課題】  操作ボタンを目視にて確認しながら各種操作を行うことができ、操作ミスが起き難く、複雑な操作も可能なヘッドセット装置を提供する。【解決手段】  少なくともスピーカ及び耳掛け部を備えるヘッドセット本体２と、ヘッドセット本体２と分離して設けられる操作部３とを有する。ヘッドセット本体２は耳に装着され、一方、操作部３は、例えば腕時計型とされ、腕に装着される。ヘッドセット本体２と操作部３とは、無線方式により信号の授受を行う。操作部３は、入力した電話番号や着信ナンバー等を表示する表示部７を備えていてもよい。【選択図】  図１
2006033149.tif 000002
【特許請求の範囲】
【請求項１】
少なくともスピーカ及び耳掛け部を備えるヘッドセット本体と、当該ヘッドセット本体と分離して設けられる操作部とを有し、
前記ヘッドセット本体と操作部とは、無線方式により信号の授受を行うことを特徴とするヘッドセット装置。
【請求項２】
前記操作部は、情報を表示する表示部を備えることを特徴とする請求項１記載のヘッドセット装置。
【請求項３】
前記操作部は、腕時計型であることを特徴とする請求項１又は２記載のヘッドセット装置。
【請求項４】
マイクが前記ヘッドセット本体に内蔵されていることを特徴とする請求項１から３のいずれか１項記載のヘッドセット装置。
【請求項５】
マイクが前記操作部に内蔵されていることを特徴とする請求項１から３のいずれか１項記載のヘッドセット装置。
【発明の詳細な説明】
【技術分野】
【０００１】
本発明は、耳に装着して無線通話等を行うヘッドセット装置に関するものであり、特に、操作部の改良に関する。
【背景技術】
【０００２】
例えば、携帯電話機の使い勝手をさらに改善するという目的で、いわゆるハンズフリータイプの携帯電話機の実現が望まれている。そして、このハンズフリーでの通話を可能とする装置として、スピーカやマイクを内蔵し、耳に装着して使用する、いわゆるヘッドセット装置が知られている。
【０００３】
従来、ヘッドセット装置の形態としては、いわゆるヘッドホンスタイルのものが多用されており、いずれか一方の耳当てからマイクが口元まで延長された形態のものが一般的であるが、さらには、無線通信のためのマイクロホンやスピーカ、回路基板、充電池等を全てカバーにて密閉されたケース部材内に収容し、より一層の小型化を図ったもの等も開発されている。このようなヘッドセット装置では、指向性の高いマイクロホンを使用することで、マイクを口元まで延長する必要をなくし、使用感の一層の向上が図られている。
【０００４】
ところで、このようなヘッドセット装置においては、種々の操作を行うための操作ボタンが必要である。電子機器の操作ボタンは、押しボタン式のものが広く用いられており（例えば、特許文献１等を参照）、ヘッドセット装置においても、これを流用するのが簡単である。
【特許文献１】特開２０００−２５１５７５号公報
【発明の開示】
【発明が解決しようとする課題】
【０００５】
しかしながら、押しボタン式の操作ボタンをヘッドセット装置に組み込む場合、耳に向かって押し込む形になり、操作感が悪いという問題がある。通常、押しボタン式の操作ボタンは、スイッチ素子が設けられたプリント基板の主面に対して垂直方向に押し込むように設けられる。ヘッドセット装置においても同様に配置すると、押圧力が耳に直接伝わり、不快である。
【０００６】
また、ヘッドセット装置装着時には、手探りで操作ボタンを探す必要があるが、このような位置に操作ボタンを設けると、操作ボタンの位置がわかり難く、操作性が悪いという問題もある。例えば、ヘッドセット装置を携帯電話機として用いる場合、発信の際に電話番号等を入力する必要があるが、手探り状態ではその入力が極めて難しい。ボリューム操作等についても同様であり、複雑な操作はほとんどできないのが実情である。さらには、入力した電話番号の確認や着信ナンバー等の確認も不可能である。
【０００７】
そこで本発明は、このような従来の実情に鑑みて提案されたものであり、操作性に優れたヘッドセット装置を提供することを目的とする。すなわち、本発明は、操作ボタンを目視にて確認しながら各種操作を行うことができ、操作ミスが起き難く、複雑な操作も可能なヘッドセット装置を提供することを目的とする。さらに、本発明は、前記に加えて情報の確認も可能なヘッドセット装置を提供することを目的とする。
【課題を解決するための手段】
【０００８】
上述の目的を達成するために、本発明に係るヘッドセット装置は、少なくともスピーカ及び耳掛け部を備えるヘッドセット本体と、当該ヘッドセット本体と分離して設けられる操作部とを有し、前記ヘッドセット本体と操作部とは、無線方式により信号の授受を行うことを特徴とする。
【０００９】
本発明のヘッドセット装置では、各種入力操作を行うボタン等が設けられた操作部がヘッドセット本体から分離されているので、例えばこれを腕時計型とし、腕等に装着するようにすれば、目視しながらの操作が可能となり、例えば複雑な操作であっても確実に行うことが可能となる。また、操作時に押圧力が耳に伝わることがなく、操作感も大幅に改善される。さらに、本発明のヘッドセット装置では、操作部が情報を表示する表示部を備えていてもよく、この場合には、入力した電話番号の確認や着信ナンバーの確認等も可能となる。
【発明の効果】
【００１０】
本発明によれば、操作性に優れ、例えば操作ボタンを目視にて確認しながら各種操作を行うことができ、操作ミスが起き難く、複雑な操作も可能なヘッドセット装置を提供することが可能である。また、本発明によれば、入力した電話番号の確認や着信ナンバーの確認等、情報の確認も可能なヘッドセット装置を提供することが可能である。
【発明を実施するための最良の形態】
【００１１】
以下、本発明を適用したヘッドセット装置について、図面を参照して詳細に説明する。
【００１２】
本発明のヘッドセット装置１は、図１に示すように、耳に装着される略々たまご形のヘッドセット本体２と操作部３とからなり、このヘッドセット本体２を使用者の耳の近傍に装着することで、無線での会話等が行われる。そして、ヘッドセット本体２には、装着時に装着者の口の近くまで張り出す先端部分に集音用のマイクロホンが収容されており、装着者の耳孔内に挿入されるイヤホン部にスピーカがそれぞれ収容されている。マイクロホンが収容された側が前方となるように装着すれば、使用者は、受信した音声をイヤホン部で聞き、マイクロホンを通じて音声を送信することができる。
【００１３】
前記ヘッドセット本体２には、耳の形状に合わせた耳掛け部４が設けられており、これを耳５に掛けることにより、ヘッドセット本体２が前記装着状態が実現される。耳掛け部４は、例えばゴム系の材料やプラスチック等により形成され、使用しない時には、ヘッドセット本体２内に収容したり、ヘッドセット本体２の周面に沿って溝を形成しておき、ここに巻き付ける形で収容する等、取り外して携帯する際等に邪魔にならないようにすることが好ましい。
【００１４】
一方、前記操作部３は、ヘッドセット本体２とは分離して設けられ、例えば腕時計型とされ、腕に装着して使用される。操作部３は、ナンバーキーや各種操作キー等の操作ボタン６が配列されるとともに、小型液晶パネル等からなる表示部７が設けられ、装着される腕とは反対側の手で操作することにより、各種キー入力が行われる。
【００１５】
また、表示部７では、入力した電話番号や、着信ナンバー、あるいは電話帳の情報、ボリューム状態等、通常の携帯電話機等において実現されている情報表示が行われる。したがって、入力ミスを未然に防ぐことができ、また内蔵された電話帳情報等を利用して入力の簡略化も実現することができる。
【００１６】
さらに、操作部３を分離した場合、操作部３に設けられた表示部７に映し出される画像を見ながら会話を行うことも、有用な使用方法である。例えば、テレビ電話機能を持った携帯電話機等では、分離されたヘッドセット本体２を装着し、腕に装着した操作部３の表示部７により相手の顔を見ながら会話を行うという使用形態が想定される。
【００１７】
前述のように、ヘッドセット本体２と操作部３とを分離する場合、例えば携帯電話として機能させるための回路基板や部品の大部分をヘッドセット本体２に収容するようにすれば、操作部３に組み込む回路部品が必要最小限で済み、操作部３を小型、軽量化することができる。逆に、ヘッドセット本体２を軽量化、小型化して耳等への負担を軽減したい場合には、ある程度の回路部品等を操作部３側に組み込むことも可能である。いずれにしても、使用形態や使用者の要望等に応じて、どちらを優先するかを決めればよい。
【００１８】
また、前述のようにヘッドセット本体２と操作部３とを分離した場合、これらヘッドセット本体２と操作部３との間で信号の授受が必要になる。この信号の授受は、取り扱い性等を考慮すると、無線で行うことが好ましい。有線での信号の授受を行う場合には、ヘッドセット本体２と操作部３間のケーブルの取り扱いが煩わしいものとなる。そこで、ヘッドセット本体２と操作部３には、それぞれ互いに信号授受を行うための無線手段を組み込んでおく必要がある。
【００１９】
ここで、前記信号の授受を行うための無線手段としては、無線通信により信号を伝達し得るものであれば如何なる規格のものであってもよいが、これらヘッドセット本体２と操作部３とは、さほどの距離を離れずに使用されると想定されることから、無線規格として例えばブルートゥース（Bluetooth(登録商標)）を採用することが好ましい。
【００２０】
ブルートゥース（Bluetooth）は、２．４ＧＨｚの周波数の電波を使って、例えば携帯機器や携帯電話、パソコン等、様々な機器の間で簡単にお互いを認識したり、データのやりとりができるようにする技術であり、対応のモジュールも小さく、低消費電力なものが存在し、携帯機器にも搭載し易いという特長を有する。したがって、これをデータの授受のための無線規格として採用することで、ヘッドセット本体２や操作部３をさほど大型化することなく、無線手段を組み込むことが可能になる。
【００２１】
以上、本発明を適用した携帯電話機の実施形態について説明してきたが、本発明がこの実施形態に限定されるものでないことは言うまでもない。例えば、先の実施形態では、ヘッドセット本体２にマイクロホンが内蔵されることを想定して説明を行ったが、操作部３にマイクロホンを組み込むことも可能である。この場合には、ヘッドセット本体２に装着時に装着者の口の近くまで張り出す部分を設ける必要がなくなり、またヘッドセット本体２をより小型化、軽量化することができることから、装着による違和感をある程度解消することができる。
【図面の簡単な説明】
【００２２】
【図１】本発明を適用したヘッドセット装置の使用状態の一例を示す概略斜視図である。
【符号の説明】
【００２３】
１  ヘッドセット装置
２  ヘッドセット本体
３  操作部
４  耳掛け部
６  操作ボタン
７  表示部
【図１】
2006033149.tif 000003